(57)【要約】  【課題】  原稿の一回の搬送にて両面の画像を読み取る両面読取装置であって、装置構成の小型化及び低コスト化を図ってもジャム発生に効率良く対応する。  【解決手段】  原稿トレイ２１に載置された原稿を原稿搬送路２９に搬送させ、第１光学ユニット４０にて原稿の表面の画像を読み取り、第２光学ユニット５０にて原稿の裏面の画像を読み取る。原稿搬送路２９に設けた１個のジャムセンサ４６で原稿のジャムを検知した場合、ジャム発生位置に関係なく、ジャムとなった原稿を原稿トレイ２１に再び載置して、その表面の画像及び裏面の画像をもう一度読み直す。【選択図】      図２
2005073035.tif 000002
【特許請求の範囲】
【請求項１】
原稿搬送路を介した原稿の一回の搬送にて前記原稿の表面の画像と裏面の画像とを夫々異なる位置で読み取る両面読取装置において、前記原稿搬送路における原稿のジャムを検知する検知手段を備えており、該検知手段にてジャムが検知された原稿を、そのジャム位置に関係なく、表面の画像及び裏面の画像を読み取るために再び搬送させるべくなしてあることを特徴とする両面読取装置。
【請求項２】
前記検知手段にてジャムが検知された原稿に関して、ジャム発生前に表面の画像及び／または裏面の画像を読み取って得られた画像データを廃棄する手段を備えることを特徴とする請求項１記載の両面読取装置。
【請求項３】
前記検知手段にて原稿のジャムが検知された場合に、前記原稿を再搬送すべき旨を報知する手段を備えることを特徴とする請求項１または２記載の両面読取装置。
【発明の詳細な説明】
【技術分野】
【０００１】
本発明は、原稿の一回の搬送にて原稿の表面及び裏面の画像を読み取る両面読取装置に関する。
【背景技術】
【０００２】
ファクシミリ装置、ディジタル複写機などの読取装置において、原稿の表面及び裏面の画像を読み取れるようにしたものがある。このような両面読取装置における従来の一般的な構成では、１回目の原稿の搬送にてその表面の画像を読み取った後、原稿の表裏を反転させて再度原稿を搬送させてその裏面の画像を読み取るようにしている。両面読取装置において読取りのための原稿搬送中にジャムが発生した場合、ジャムとなった原稿の画像を再び読み取る必要があり、ジャム発生時の原稿の再読取りの手法について種々の提案がなされている（例えば、特許文献１，２参照）。
【０００３】
この種の両面読取装置にあっては、原稿搬送路の複数箇所にジャムセンサを夫々設けて、原稿のジャム発生とその発生位置とを検知し、表面の画像を読み取る位置より上流側でジャムが発生した場合には、その原稿の表面及び裏面に対する読取りを再度実行し、表面の画像を読み取る位置と裏面の画像を読み取る位置との間でジャムが発生した場合には、その原稿の表面は再度読み取らず、裏面に対する読取りのみを再度実行するようにしている。
【０００４】
ところで、上述したように二回の搬送を行うのではなく、一回の搬送にて原稿の表面及び裏面の画像を読み取るように構成した両面読取装置も知られている。このような両面読取装置では、原稿搬送路の下方に設けたＣＣＤイメージセンサを含む光学ユニットにて原稿の表面の画像を読み取り、原稿搬送路の上方に設けたＣＩＳ（Contact Image Sensor）を含む光学ユニットにて原稿の裏面の画像を読み取る構成とすることにより、原稿の表裏反転動作を行うことなく、一回の搬送にて原稿の表面及び裏面の画像を読み取ることができる。この場合、裏写りを防止するために、表面の画像の読取位置（表面読取位置）と裏面の画像の読取位置（裏面読取位置）とは異ならせておくことが一般的である。
【特許文献１】特開２００１−４５２１８号公報
【特許文献２】特開２００３−１３４３００号公報
【発明の開示】
【発明が解決しようとする課題】
【０００５】
このような一回の搬送にて両面の画像を読み取る両面読取装置においても、上述したような二回の搬送を用いる両面読取装置と同様に原稿搬送路の複数箇所にジャムセンサを設けたり、搬送開始のタイミングからの時間を計時するタイマを設けたりすることにより、これらのジャムセンサの検知結果及び／またはタイマの計時結果に基づいてジャム発生位置を認識し、両面の読取り処理の再実行か片面のみの読取り処理の再実行かを制御することは可能である。しかしながら、一回の搬送にて両面の画像を同時的に読み取るため、このような制御を行うことは困難であり、それを実行するためには更なる追加部材が必要となる。両面読取装置にあっては装置構成の小型化及び低コスト化が望まれているが、上述したような複数のジャムセンサ、タイマ、追加部材の設置はこの小型化及び低コスト化の要望に逆行するという問題がある。
【０００６】
本発明は斯かる事情に鑑みてなされたものであり、原稿の一回の搬送にて両面の画像を読み取る両面読取装置であって、装置構成の小型化及び低コスト化を図ってもジャム発生に効率良く対応できる両面読取装置を提供することを目的とする。
【課題を解決するための手段】
【０００７】
請求項１に係る両面読取装置は、原稿搬送路を介した原稿の一回の搬送にて前記原稿の表面の画像と裏面の画像とを夫々異なる位置で読み取る両面読取装置において、前記原稿搬送路における原稿のジャムを検知する検知手段を備えており、該検知手段にてジャムが検知された原稿を、そのジャム位置に関係なく、表面の画像及び裏面の画像を読み取るために再び搬送させるべくなしてあることを特徴とする。
【０００８】
請求項１にあっては、原稿搬送路において原稿のジャムを検知した場合、そのジャム発生位置に拘わらず、ジャムとなった原稿を再び搬送させてその表面の画像及び裏面の画像を読み取る。即ち、ジャム発生位置に関係なく、原稿の両面の画像をもう一度読み直す。表面の画像を読み取る位置（表面読取位置）と裏面の画像を読み取る位置（裏面読取位置）とは異なっているので、ジャム発生位置に応じて、両面とも読取りを完了していない場合と、一方の面の読取りは完了しているが他方の面の読取りは完了していない場合とが存在する。例えば、表面読取位置が裏面読取位置よりも原稿搬送路の上流側に設定されている場合を考えると、ジャム発生位置に応じて、両面とも読取りを完了していないときと、表面の読取りしか完了していないときとがある。請求項１では、ジャム発生位置は全く考慮せずに、両面の画像を再度読み取るようにジャムとなった原稿を再び搬送させる。一回の搬送にて両面の画像を読み取る構成であるため、両面を再び読み取るために要する搬送時間と、ジャムで読み取れなかった他方の面だけを再び読み取るために要する搬送時間とに差はなく、搬送時間のロスは生じない。また、他方の面だけを読み取るための更なる追加部材も不要である。更に、ジャム発生位置を特定する必要がないため、ジャムセンサを複数箇所に設ける必要もなくて１個のジャムセンサだけで良く、上述したタイマも不要である。よって、小型化及び低コスト化を図れる。
【０００９】
請求項２に係る両面読取装置は、請求項１において、前記検知手段にてジャムが検知された原稿に関して、ジャム発生前に表面の画像及び／または裏面の画像を読み取って得られた画像データを廃棄する手段を備えることを特徴とする。
【００１０】
請求項２にあっては、ジャムとなった際に得られた原稿の画像データは廃棄する。例えば、表面読取位置が裏面読取位置よりも原稿搬送路の上流側に設定されている場合、裏面の読取りが完了する前にジャムが発生したときに、表面の読取りによって得られた画像データは廃棄する。ジャムとなった原稿はその両面を再び読み取るため、ジャム時に得られた画像データは不要であるので、その画像データを廃棄することにより画像メモリを無駄に消費することがない。
【００１１】
請求項３に係る両面読取装置は、請求項１または２において、前記検知手段にて原稿のジャムが検知された場合に、前記原稿を再搬送すべき旨を報知する手段を備えることを特徴とする。
【００１２】
請求項３にあっては、原稿のジャムが検知された場合に、その原稿を再搬送すべきである旨をユーザに報知する。よって、ユーザは対処の方法を容易に認識できる。
【発明の効果】
【００１３】
本発明では、ジャムを検知した場合に、ジャム位置に関係なく、その原稿の表面の画像及び裏面の画像を再度読み取るべく再び搬送させるようにしたので、装置構成の小型化及び低コスト化を図ってもジャム発生に効率良く対応することができる。
【００１４】
また、本発明では、ジャムが検知された原稿の表面の画像及び／または裏面の画像を読み取って得られた画像データを廃棄するようにしたので、画像メモリの無駄な消費を防止することができる。
【００１５】
更に、本発明では、原稿のジャムが検知された場合に、その原稿の再搬送を報知するようにしたので、ユーザへ対処の方法を容易に知らせることができる。
【発明を実施するための最良の形態】
【００１６】
以下、本発明をその実施の形態を示す図面を参照して具体的に説明する。図１は、本発明の読取装置としてのファクシミリ複合装置１００の構成を示すブロック図である。
【００１７】
ファクシミリ複合装置１００は、制御部１，読取部２，記録部３，表示部４，操作部５，符号化・復号化部６，ＲＯＭ７，ＲＡＭ８，画像メモリ９，モデム１０，ＮＣＵ（Network Control Unit）１１，ＰＣインタフェース部１２などを備えている。ファクシミリ複合装置１００は、読取部２にて原稿を読み取って画像データを得る読取機能、読み取った画像データ、ファクシミリ通信により受信した画像データ、またはＰＣインタフェース部１２を介してＰＣから受信した画像データに応じた画像を記録部３にて記録する記録機能、及び、読み取った画像データまたは受信した画像データをファクシミリ送信する送信機能を併せ持っている。
【００１８】
制御部１は、具体的にはＣＰＵで構成されており、バス１３を介してファクシミリ複合装置１００の上述したようなハードウェア各部と接続されていて、それらを制御すると共に、ＲＯＭ７に格納された制御プログラムに従って、種々のソフトウェア的機能を実行する。
【００１９】
読取部２は、例えばＣＣＤイメージセンサ，ＣＩＳを利用して原稿を読み取り、読み取った画像データを出力する。また、読取部２は、原稿の一回の搬送にて、その原稿の表面及び裏面の画像の読取りが可能である。図２は、読取部２の構成を示す概略図である。読取部２は、ＡＤＦ（Auto Document Feeder）２０と、ＡＤＦ２０の下方に設けられた第１光学ユニット４０と、ＡＤＦ２０の内部に設けられた第２光学ユニット５０とを有する。
【００２０】
ＡＤＦ２０内には、原稿給紙口３１から原稿排紙口３２まで一連の原稿搬送路２９が形成されている。原稿給紙口３１の外側にはシート状の複数の原稿を載置する原稿トレイ２１が設けられており、原稿トレイ２１には、その上に載置された原稿の長さを検知する長さセンサ４１，４１が設けられている。原稿給紙口３１の近傍には、ピックアップローラ２２及び分離ローラ２３が上流側からこの順に配設されている。分離ローラ２３の原稿搬送路２９対向側には分離パッド２４が設けられており、ピックアップローラ２２と分離ローラ２３との間には原稿の有無を検知する有無センサ４２が設けられ、分離ローラ２３の少し下流側には原稿の幅を検知する幅センサ４３が設けられている。
【００２１】
原稿搬送路２９の中流域から下流域にかけての複数箇所に、原稿の搬送を制御するレジストローラ２５が設けられている。これらのレジストローラ２５の回転は、モータ３０によって駆動されている。そして、レジストローラ２５の回転速度、つまり原稿の搬送速度は、制御部１からの制御パルスに基づくモータ３０の回転駆動に応じて制御される。原稿排紙口３２の近傍には排紙ローラ２８が設けられている。
【００２２】
原稿搬送路２９の中流域にはその上側に第１原稿圧接ローラ２６が設けられている。また、原稿搬送路２９を挟んで第１原稿圧接ローラ２６に対向する位置には、光源，ＣＣＤイメージセンサ等を含む第１光学ユニット４０が配設されている。そして、この第１原稿圧接ローラ２６及び第１光学ユニット４０が対向する位置が表面読取位置であり、搬送された原稿の表面の画像がこの表面読取位置で第１光学ユニット４０によって読み取られるようになっている。また、この表面読取位置の上流側には、片面読取り時及び両面読取り時に原稿の先端または後端を検知する第１原稿センサ４４が設けられている。この第１原稿センサ４４の検知結果に基づいて、第１光学ユニット４０による表面の読取処理の開始／終了タイミングが制御される。
【００２３】
原稿搬送路２９の下流域にはその下側に第２原稿圧接ローラ２７が設けられている。また、原稿搬送路２９を挟んで第２原稿圧接ローラ２７に対向する位置には、光源，ＣＩＳ等を含む第２光学ユニット５０が配設されている。そして、この第２原稿圧接ローラ２７及び第２光学ユニット５０が対向する位置が裏面読取位置であり、搬送された原稿の裏面の画像がこの裏面読取位置で第２光学ユニット５０によって読み取られるようになっている。また、この裏面読取位置の上流側には、両面読取り時に原稿の先端または後端を検知する第２原稿センサ４５が設けられている。この第２原稿センサ４５の検知結果に基づいて、第２光学ユニット４０による裏面の読取処理の開始／終了タイミングが制御される。
【００２４】
裏面読取位置の下流側には、搬送される原稿のジャムを検知する１個のジャムセンサ４６が設けられている。このジャムセンサ４６は、搬送開始から所定時間後までに原稿を検知したか否かによってジャム発生の有無を検知するものであり、ジャム発生は検知できるが、その発生位置は検知できない。つまり、ジャム発生位置が、表面読取位置の上流側であるか、表面読取位置と裏面読取位置との間であるか、裏面読取位置の下流側であるかを特定することはできない。
【００２５】
このような構成を有する読取部２にあって、原稿トレイ２１に載置された原稿は、原稿給紙口３１からピックアップローラ２２及び分離ローラ２３により１枚ずつ分離されて搬送され、原稿搬送路２９を通り、レジストローラ２５によって更に搬送される。そして、片面（表面）のみの画像を読み取るモード（片面読取モード）が選択されている場合には、第１光学ユニット４０によって、搬送される原稿の表面の画像が読み取られる。一方、両面（表面及び裏面）の画像を読み取るモード（両面読取モード）が選択されている場合には、第１光学ユニット４０によって、搬送される原稿の表面の画像が読み取られた後、更に、第２光学ユニット５０によって、搬送される原稿の裏面の画像が読み取られる。そして、両面読取り時において、ジャムセンサ４６にてジャムが検知された場合、ジャムとなった原稿は、再び原稿トレイ２１に載置されて、その原稿の表面及び裏面の画像が再度読み取られるように原稿搬送路２９を再び搬送される。
【００２６】
記録部３は、電子写真方式のプリンタ装置であって、読取部２にて読み取った原稿の画像データ、ファクシミリ通信により受信した画像データ、外部のＰＣから送られてきた画像データなどに応じた画像を用紙にプリントアウトする。表示部４は、液晶表示装置またはＣＲＴディスプレイ等の表示装置であり、ファクシミリ複合装置１００の動作状態を表示したり、ユーザへジャム処理などの操作を促す画面を表示したり、ユーザへ操作入力を促す画面を表示したり、送信すべく読み取った原稿の画像データ、他のファクシミリ装置またはＰＣから送信された画像データなどの表示を行う。
【００２７】
操作部５は、ファクシミリ複合装置１００を操作するために必要な文字キー，テンキー，短縮ダイヤルキー，ワンタッチダイヤルキー，各種のファンクションキーなどを備えている。操作部５は、ファンクションキーとして、片面読取モードまたは両面読取モードのいずれかをユーザが選択するための読取モード選択キー５ａを有する。なお、表示部４をタッチパネル方式とすることにより、操作部５の各種のキーの内の一部または全部を代用することも可能である。
【００２８】
符号化・復号化部６は、画像データを符号化圧縮すると共に、符号化圧縮されている画像データを復号する。ＲＯＭ７は、ファクシミリ複合装置１００の動作に必要な種々のソフトウェアのプログラムを予め格納している。ＲＡＭ８は、ＳＲＡＭまたはフラッシュメモリ等で構成され、ソフトウェアの実行時に発生する一時的なデータを記憶する。画像メモリ９は、ＤＲＡＭ等で構成され、原稿を読み取って符号化した画像データ、他のファクシミリ装置またはＰＣから受信して符号化した画像データなどを蓄積する。
【００２９】
モデム１０は、バス１３に接続されており、ファクシミリ通信が可能なファクシミリモデムから構成されている。また、モデム１０は、同様にバス１３に接続されたＮＣＵ１１と直接的に接続されている。ＮＣＵ１１は、公衆電話回線網（ＰＳＴＮ：Public Switched Telephone Network)との回線Ｌ１の閉結及び開放の動作を行うハードウェアであり、必要に応じてモデム１０をＰＳＴＮと接続する。そして、ファクシミリ複合装置１００は、ＰＳＴＮによって他のファクシミリ装置と接続されており、通常のファクシミリ通信が行えるようになっている。
【００３０】
ＰＣインタフェース部１２は、ＬＡＮ等の通信線Ｌ２を介して外部のＰＣに接続されており、ＰＣとの間でデータのやりとりを行う。そして、外部のＰＣで作成・編集された各種の画像データが通信線Ｌ２を介してファクシミリ複合装置１００（ＰＣインタフェース部１２）へ送信され、送信された画像データに応じた画像がファクシミリ複合装置１００（記録部３）にて用紙にプリントアウトされるようになっている。
【００３１】
本発明のファクシミリ複合装置１００では、ユーザによる読取モード選択キー５ａの選択操作によって、片面読取モードまたは両面読取モードのいずれかが選ばれ、片面読取モードが選択された場合には、読取部２にて原稿の表面の画像のみが読み取られ、両面読取モードが選択された場合には、読取部２にて原稿の表面及び裏面の画像が読み取られる。そして、両面読取モードが選択されていてジャムが発生した場合、ジャム発生の告知、並びに、ジャム原稿の取り出し及び再載置をユーザに促す操作指示を、表示部４に表示する。また、このジャム発生時の読取りによって画像データが得られた場合には、その画像データを廃棄する。そして、ユーザにてジャムとなっている原稿が原稿搬送路２９から取り出されて再び原稿トレイ２１に載置されると、その原稿は再び搬送されて、通常の処理と同様に表面及び裏面の画像が読み取られる。
【００３２】
以下、動作について説明する。図３は、本発明のファクシミリ複合装置１００における原稿画像の両面読取処理の動作手順を示すフローチャートである。
【００３３】
読取り対象である両面画像の原稿の搬送を開始した後（ステップＳ１）、制御部１は、ジャムセンサ４４が原稿のジャムを検知したか否かを判断する（ステップＳ２）。ジャムを検知した場合（Ｓ２：ＹＥＳ）、ＡＤＦ２０内のレジストローラ２５の回転を停止して搬送動作を中断する（ステップＳ３）。
【００３４】
次に、制御部１は、ジャムとなった原稿から読み取れた画像データが存在するか否かを判断する（ステップＳ４）。存在する場合には（Ｓ４：ＹＥＳ）、その読み取れた画像データを廃棄して（ステップＳ５）、動作がステップＳ６に進む。読み取れた画像データが存在しない場合には（Ｓ４：ＮＯ）、そのまま動作がＳ６に進む。
【００３５】
ジャム発生の告知、並びに、ジャム原稿の取り出し及び再載置をユーザに促す操作指示を、表示部４に表示する（Ｓ６）。例えば、「ジャムが発生しましたので、ジャム原稿を取り出して再セットして下さい」などのメッセージを表示部４に表示する。
【００３６】
そして、ジャムとなった原稿が取り出されて原稿トレイ２１に再び載置された後、スタートキーが押された否かを、制御部１は判断する（ステップＳ７）。スタートキーが押された場合には（Ｓ７：ＹＥＳ）、動作がＳ１に戻って、その原稿が再び搬送される。スタートキーが押されない場合には（Ｓ７：ＮＯ）、動作がＳ６に戻る。
【００３７】
なお、ジャムを検知しない場合（Ｓ２：ＮＯ）、制御部１は、次の原稿が原稿トレイ２１に載置されているか否かを判断する（ステップＳ８）。載置されている場合には（Ｓ８：ＹＥＳ）、動作がＳ１に戻って、次の原稿が搬送され、載置されていない場合には（Ｓ８：ＮＯ）、動作が終了する。
【図面の簡単な説明】
【００３８】
【図１】本発明のファクシミリ複合装置の構成を示すブロック図である。
【図２】本発明のファクシミリ複合装置の読取部の構成を示す概略図である。
【図３】本発明のファクシミリ複合装置における両面読取処理の動作手順を示すフローチャートである。
【符号の説明】
【００３９】
１  制御部
２  読取部
４  表示部
７  ＲＯＭ
２０  ＡＤＦ
２１  原稿トレイ
２５  レジストローラ
２９  原稿搬送路
３０  モータ
４０  第１光学ユニット
４６  ジャムセンサ
５０  第２光学ユニット
１００  ファクシミリ複合装置
【図１】
2005073035.tif 000003
【図２】
2005073035.tif 000004
【図３】
2005073035.tif 000005